(57)【要約】【課題】沸き上げ時のエネルギ使用効率のよいヒートポンプ式給湯機を提供する。【解決手段】本発明の給湯機は、設定された保温時間の間、浴槽１内の湯水を所定の目標浴槽温度に保つ保温機能を備えている。保温機能が設定されている期間には、浴槽湯水の温度Ｔ＿ｂｔｈを所定時間ｔ＿ｉｎｔ毎に検知し、温度Ｔ＿ｂｔｈが目標浴槽温度Ｔ＿ｄｓｔよりも低い場合に貯湯タンク１００内の高温水を熱源湯水とした浴槽湯水の追焚き加熱を実行する。本発明の給湯機は、追焚き加熱に利用した熱源湯水を給湯口１０４へ供給する第１流路形態と、熱源湯水を貯湯タンク１００に戻す第２流路形態と、を切り替える三方弁１５を有しており、保温機能が設定されている期間において、給湯口１０４からの出湯が開始された場合には、所定時間ｔ＿ｉｎｔの経過を待たずに、第１流路形態による追焚き加熱を実行する。【選択図】図４
2013221717.tif 000002
【特許請求の範囲】
【請求項１】
ヒートポンプを利用して加熱された温水を貯留させる貯湯タンクと、
一端が前記貯湯タンクの上部に配した第１の接続口に接続され、途中に水熱交換器および熱源ポンプが設けられ、他端が前記第１の接続口よりもタンク下方に配した第２の接続口に接続された追焚き熱源循環回路と、
前記追焚き熱源循環回路上における前記熱源ポンプの下流側と給湯端末とを接続する給湯回路と、
前記貯湯タンクの前記第１の接続口と前記給湯端末とが前記追焚き熱源循環回路および前記給湯回路を介して連通する第１流路形態と、前記貯湯タンクの前記第１の接続口と前記第２の接続口とが前記追焚き熱源循環回路を介して連通する第２流路形態と、を切り替え可能な流路切替手段と、
浴槽から浴槽循環ポンプおよび前記水熱交換器を介して前記浴槽へと戻る風呂追焚き循環回路と、
前記風呂追焚き循環回路内の浴槽湯水温度を検知する温度検知手段と、を備え、
前記給湯端末からの出湯有無を検知する出湯検知手段と、
前記熱源ポンプと前記浴槽循環ポンプとを駆動して前記貯湯タンク内の高温水と前記浴槽の湯水とをそれぞれ前記水熱交換器へ流入させることにより、前記浴槽の湯水を加熱する加熱追焚き運転を行う加熱追焚き運転手段と、
前記浴槽の湯水の温度を所定の設定温度に保つ保温運転の実行を設定する保温運転設定手段と、
前記保温運転が実行されている期間に、前記流路切替手段および前記加熱追焚き運転手段を制御する制御手段と、を備え、
前記制御手段は、
前記加熱追焚き運転を実行していない期間中の所定の設定時間毎に検知される前記浴槽水温度を監視温度として取得する取得手段と、
前記監視温度が前記設定温度よりも低い場合に、前記第２流路形態を選択して前記加熱追焚き運転を実行する第１の加熱追焚き運転手段と、
前記出湯検知手段により出湯が検知された場合に、前記第１流路形態を選択して前記加熱追焚き運転を行う第２の加熱追焚き運転手段と、
を含むことを特徴とするヒートポンプ式給湯機。
【請求項２】
前記制御手段は、第２の加熱追焚き運転手段による前記加熱追焚き運転の実行中であって、前記出湯検知手段により出湯の停止が検知された場合に、前記加熱追焚き運転を停止する加熱停止手段を含み、
前記加熱停止手段によって前記加熱追焚き運転が停止された場合に、その直後の前記取得手段による前記監視温度の取得の際に前記設定時間を通常時よりも短い時間に設定する設定時間調整手段を更に備えることを特徴とする請求項１記載のヒートポンプ式給湯機。
【請求項３】
前記制御手段は、前記浴槽湯水の温度が前記設定温度に到達した場合に、前記加熱追焚き運転を停止する第２の加熱停止手段を含むことを特徴とする請求項１または２記載のヒートポンプ式給湯機。
【請求項４】
前記給湯端末からの出湯状況に応じて、前記第２の加熱追焚き運転手段の実行を制限する制限期間を設定する制限期間設定手段を更に備えることを特徴とする請求項１乃至３の何れか１項記載のヒートポンプ式給湯機。
【請求項５】
前記制限期間設定手段は、所定期間中の各日の最終給湯時刻の中で最も遅い時刻を学習最終給湯時刻として記憶する記憶手段を含み、前記学習最終給湯時刻から前記保温運転の終了時刻までの期間を前記制限期間として設定することを特徴とする請求項４記載のヒートポンプ式給湯機。
【請求項６】
前記制限期間設定手段は、所定時刻から前記保温運転の終了時刻までの期間を前記制限期間として設定することを特徴とする請求項４記載のヒートポンプ式給湯機。
【発明の詳細な説明】
【技術分野】
【０００１】
この発明は、貯湯式ヒートポンプ給湯機に関する。
【背景技術】
【０００２】
従来、例えば、貯湯を熱源として熱交換器による浴槽湯水の追焚き加熱を行う貯湯式ヒートポンプ給湯機において、熱交換器を通過した熱源湯水を貯湯タンクへ戻さずに給湯湯水として利用する技術が知られている。これにより、貯湯タンクに中温水が貯留されることを抑制することができるので、ヒートポンプによる貯湯沸き上げ時のエネルギ使用効率の悪化が低減される。
【先行技術文献】
【特許文献】
【０００３】
【特許文献１】特開２０１０−２６６１８６号公報
【発明の概要】
【発明が解決しようとする課題】
【０００４】
しかしながら、上記従来の公報に記載された給湯利用方法では、給湯と追焚き加熱動作の時機を合わせる必要がある。このため、例えば、浴槽湯水を所定の時間一定温度以上に自動的に保つ保温機能を使用している場合においては、追焚き加熱動作時に給湯動作が実施されない場合もあり、中温水を抑制する効果が小さくなるという課題が生じる。
【０００５】
この発明は、上述のような課題を解決するためになされたもので、保温機能を使用している期間中に熱源湯水の給湯湯水への利用の時機を逸することを抑制することにより、沸き上げ時のエネルギ使用効率のよいヒートポンプ式給湯機を提供することを目的とする。
【課題を解決するための手段】
【０００６】
この発明に係るヒートポンプ式給湯機は、ヒートポンプを利用して加熱された温水を貯留させる貯湯タンクと、一端が貯湯タンクの上部に配した第１の接続口に接続され、途中に水熱交換器および熱源ポンプが設けられ、他端が第１の接続口よりもタンク下方に配した第２の接続口に接続された追焚き熱源循環回路と、追焚き熱源循環回路上における熱源ポンプの下流側と給湯端末とを接続する給湯回路と、貯湯タンクの第１の接続口と給湯端末とが追焚き熱源循環回路および給湯回路を介して連通する第１流路形態と、貯湯タンクの第１の接続口と第２の接続口とが追焚き熱源循環回路を介して連通する第２流路形態と、を切り替え可能な流路切替手段と、浴槽から浴槽循環ポンプおよび水熱交換器を介して浴槽へと戻る風呂追焚き循環回路と、風呂追焚き循環回路内の浴槽湯水温度を検知する温度検知手段と、を備え、給湯端末からの出湯有無を検知する出湯検知手段と、熱源ポンプと浴槽循環ポンプとを駆動して貯湯タンク内の高温水と浴槽の湯水とをそれぞれ水熱交換器へ流入させることにより、浴槽の湯水を加熱する加熱追焚き運転を行う加熱追焚き運転手段と、浴槽の湯水の温度を所定の設定温度に保つ保温運転の実行を設定する保温運転設定手段と、保温運転が実行されている期間に、流路切替手段および加熱追焚き運転手段を制御する制御手段と、を備え、制御手段は、加熱追焚き運転を実行していない期間中の所定の設定時間毎に検知される浴槽水温度を監視温度として取得する取得手段と、監視温度が設定温度よりも低い場合に、第２流路形態を選択して加熱追焚き運転を実行する第１の加熱追焚き運転手段と、出湯検知手段により出湯が検知された場合に、第１流路形態を選択して加熱追焚き運転を行う第２の加熱追焚き運転手段と、を含むものである。
【発明の効果】
【０００７】
この発明によれば、沸き上げ時のエネルギ使用効率のよいヒートポンプ式給湯機を得ることができる。
【図面の簡単な説明】
【０００８】
【図１】本発明の実施の形態１のヒートポンプ式給湯機を示す構成図である。
【図２】本発明の実施の形態１のヒートポンプ式給湯機の制御装置の機能を示す構成図である。
【図３】本発明の実施の形態１において実行されるルーチンのフローチャートである。
【図４】本発明の実施の形態１において実行されるルーチンのフローチャートである。
【発明を実施するための形態】
【０００９】
以下、図面を参照して、本発明の実施の形態について説明する。尚、各図において共通する要素には、同一の符号を付して、重複する説明を省略する。
【００１０】
実施の形態１．
図１は、本発明が適用されるヒートポンプ式給湯機と該給湯機に接続された浴槽の構成を示す図である。図１に示すように、本実施形態のヒートポンプ式給湯機は、貯湯タンク１００と、貯湯タンク１００から取り出された水を高温に沸き上げる沸き上げ手段としてのヒートポンプ式熱源機２００とを有している。ヒートポンプ式熱源機２００の内部には、圧縮機、水−冷媒熱交換器、膨張弁、空気熱交換器およびアキュームレータが冷媒配管により順次接続されて構成されたヒートポンプ回路が備えられている。
【００１１】
沸き上げ循環回路は、貯湯タンク１００の下部に設けられたタンク沸上げ往き口２０１と、このタンク沸上げ往き口２０１とヒートポンプ式熱源機２００とを接続する往き管２０４と、往き管２０４の途中に設置された熱源機循環ポンプ２０２と、貯湯タンク１００の上部に設けられたタンク沸上げ戻り口２０３とヒートポンプ式熱源機２００とを接続する戻り管２０５とを有している。
【００１２】
貯湯タンク１００内は、上層側に高温水が、下層側に低温水が、積層状態でそれぞれ貯留され、常に満水に保たれる。ヒートポンプ式熱源機２００による加熱動作（沸き上げ動作）を行う場合には、熱源機循環ポンプ２０２を作動することにより、貯湯タンク１００の下部から取り出された低温水が往き管２０４を通ってヒートポンプ式熱源機２００内に送られる。この水はヒートポンプ式熱源機２００内で沸き上げられて高温水となり、戻り管２０５を通って貯湯タンク１００の上部に戻される。この沸き上げ動作により、貯湯タンク１００内には、上部から下部へ向かって高温水が蓄積されていく。
【００１３】
風呂追焚き循環回路は、浴槽１の浴槽水循環出口２と水熱交換器５の熱交換器浴槽水入口４とを接続する浴槽配管８と、浴槽配管８の途中に設置された浴槽循環ポンプ３と、水熱交換器５の熱交換器浴槽水出口６と浴槽１の浴槽水循環入口７とを接続する浴槽配管９とを有している。浴槽１の湯水を追焚き（保温を含む）する追焚き加熱を行う場合には、浴槽循環ポンプ３が駆動される。浴槽循環ポンプ３の駆動により、浴槽１の湯水は、浴槽配管８、水熱交換器５、浴槽配管９を順次通過して浴槽１に戻るように循環する。また、浴槽配管８における浴槽水循環出口２と浴槽循環ポンプ３との間には、風呂追焚き循環回路内の流水を検知するための流水検知手段５０２が設けられている。また、浴槽配管８における浴槽循環ポンプ３と熱交換器浴槽水入口４との間には、水熱交換器５へ入水する浴槽湯水の温度を検知するための浴槽湯水温度検知手段５０３が設けられている。更に、浴槽配管９における熱交換器浴槽水出口６の近傍には、水熱交換器５から出水される浴槽戻り湯水の温度を検知するための浴槽戻り湯水温度検知手段５０４が設けられている。
【００１４】
追焚き熱源循環回路は、貯湯タンク１００の上部に設けられたタンク追焚き熱源往き口１１と水熱交換器５の水熱交換器熱源水入口１２とを接続する往き管１６と、水熱交換器５の水熱交換器熱源水出口１３と貯湯タンク１００の下部に設けられたタンク追焚き熱源戻り口１７とを接続する戻り管１８と、戻り管１８の途中に設置された熱源ポンプ１４と、熱源ポンプ１４の吐出側に設置された三方弁１５と、を有している。尚、タンク追焚き熱源戻り口１７の配置は、貯湯タンク１００の高さ方向についてタンク追焚き熱源往き口１１よりも低い位置であれば貯湯タンク１００の下部に限定されず、例えば、貯湯タンク１００の中部に設けることとしてもよい。
【００１５】
給湯回路は、貯湯タンク１００のタンク高温出湯口１０２と給湯端末としての給湯口１０４とを接続する給湯配管１０５と、給湯配管１０５の途中に設けられた混合弁１０３と、水道等の水源と混合弁１０３とを接続する給水配管１０６と、貯湯タンク１００の下部に設けられたタンク給水入口１０１と給水配管１０６の途中とを接続する給水配管１０７と、を有している。
【００１６】
水道等の水源から給水配管１０６を通って貯湯タンク１００に供給される水は、図示しない減圧弁により所定圧力に減圧された後、給水配管１０７を通って貯湯タンク１００のタンク給水入口１０１に流入する。また、減圧弁で減圧された水は混合弁１０３にも供給される。混合弁１０３は、給湯配管１０５を流れる湯に給水配管１０６を流れる水を混合し、所定の温度に調整された湯水を給湯口１０４へ供給する。
【００１７】
また、給湯回路は、給湯配管１０５におけるタンク高温出湯口１０２と混合弁１０３との間と三方弁１５とを接続する熱源湯水給湯配管１０８を更に有している。三方弁１５は、熱源ポンプ１４と給湯口１０４とが戻り管１８、熱源湯水給湯配管１０８および給湯配管１０５を介して連通する流路状態Ａと、熱源ポンプ１４とタンク追焚き熱源戻り口１７とが戻り管１８を介して連通する流路状態Ｂと、を切り替え可能な流路切替手段として機能するものである。また、給湯配管１０５における混合弁１０３と給湯口１０４との間には、給湯口１０４からの出湯を検知するための流量検知手段５０５が設けられている。
【００１８】
図１に示すヒートポンプ式給湯機の内部には、制御装置５００が設けられている。本給湯機が備えるアクチュエータ類およびセンサ類は、制御装置５００と電気的に接続されている。また。制御装置５００には、上述したセンサ類の他、追焚き加熱によって浴槽温度を維持する保温機能を設定する保温時間設定手段５０１が接続されている。制御装置５００は、保温時間設定手段５０１、流水検知手段５０２、浴槽湯水温度検知手段５０３、浴槽戻り湯水温度検知手段５０４および流量検知手段５０５の検知結果を用いて、熱源ポンプ１４、浴槽循環ポンプ３、三方弁１５の駆動を制御する。
【００１９】
図２は、制御装置５００における保温機能を実施するため制御機能を示す図である。この図に示すように、制御装置５００は、時刻と保温時間の計時を行う計時手段５１１と、使用者の給湯や追焚きの使用履歴を時間とともに記録する記録手段５１２と、保温時間設定手段５０１の設定情報を保温機能の動作時間として設定する動作時間設定手段５１３と、から構成される。
【００２０】
次に、本実施の形態のヒートポンプ式給湯機の特徴的動作について説明する。本実施の形態のヒートポンプ式給湯機は、設定された保温時間の間、浴槽１内の湯水を所定の目標浴槽温度に保つ保温機能を備えている。具体的には、保温機能の実行が使用者によって選択されると、制御装置５００は、経時手段５１１により経過時間ｔ＿ｃｎｔを計時する。そして、経過時間ｔ＿ｃｎｔが所定の浴槽監視間隔設定時間ｔ＿ｉｎｔに達した時点で浴槽循環ポンプ３を駆動し、浴槽湯水温度検知手段５０３を用いて浴槽１内の浴槽湯水の温度（浴槽温度）Ｔ＿ｂｔｈを検知する。その結果、検知された浴槽温度Ｔ＿ｂｔｈが設定された目標浴槽温度Ｔ＿ｄｓｔよりも低い場合には、貯湯タンク１００内に貯留されていた高温水（熱源湯水）を利用した浴槽湯水の追焚き加熱を実行する。具体的には、浴槽循環ポンプ３および熱源ポンプ１４を駆動することにより、水熱交換器５内に流入する熱源湯水と浴槽湯水との間で熱交換を行う。追焚き加熱は浴槽温度Ｔ＿ｂｔｈが目標浴槽温度Ｔ＿ｄｓｔに到達するまで継続し、追焚き加熱が終了した時間から再び経過時間ｔ＿ｃｎｔの計時を行う。
【００２１】
尚、本実施の形態のヒートポンプ式給湯機では、追焚き加熱時における熱源湯水の流路形態として、三方弁１５の流路状態Ａが選択された第１流路形態と流路状態Ｂが選択された第２流路形態とを切り替え可能に構成されている。第１流路形態では、タンク追焚き熱源往き口１１から往き管１６、水熱交換器５および戻り管１８、および熱源湯水給湯配管１０８を介して給湯配管１０５へと連通する給湯流路が形成される。これにより、熱源湯水は、水熱交換器５にて熱交換を行った後に給湯口１０４からの給湯用の湯水として利用される。一方、第２流路形態では、タンク追焚き熱源往き口１１から往き管１６、水熱交換器５および戻り管１８を介してタンク追焚き熱源戻り口１７へと戻る循環流路が形成される。これにより、熱源湯水は、水熱交換器５にて熱交換を行った後に再び貯湯タンク１００内に流入される。
【００２２】
ここで、第２流路形態にて追焚き加熱が実行されると、水熱交換器５における熱交換により低温となった湯水（例えば中温水）が熱源戻り口１７から貯湯タンク１００内に流入する。このため、貯湯タンク１００内へ戻された中温水がタンク内の低温水と混ざってしまうと、該貯湯タンク１００からヒートポンプ式熱源機２００へ送られる低温水の温度が上昇してしまい、次回のヒートポンプ式熱源機２００での沸き上げ効率が低下してしまうおそれがある。
【００２３】
そこで、本実施の形態の給湯機では、保温機能が実行されている期間において、給湯口１０４からの出湯が開始された場合には、経過時間ｔ＿ｃｎｔが浴槽監視間隔設定時間ｔ＿ｉｎｔに達する前であっても、第１流路形態による追焚き加熱を実行することとする。これにより、熱源湯水を給湯に利用する機会を有効に増やすことができるので、沸き上げ効率の低下を抑制することが可能となる。
【００２４】
また、本実施の形態の給湯機では、第１流路形態による追焚き加熱の実行中において、浴槽温度Ｔ＿ｂｔｈが設定された目標浴槽温度Ｔ＿ｄｓｔに達した場合には、追焚き加熱を速やかに終了することとする。これにより、浴槽湯水が必要以上に加熱される事態を有効に回避することが可能となる。
【００２５】
また、本実施の形態の給湯機では、第１流路形態による追焚き加熱の実行中において、給湯口１０４からの出湯が停止された場合には、追焚き加熱を停止した上で、当該停止直後の浴槽温度の監視間隔を、浴槽監視間隔設定時間ｔ＿ｉｎｔよりも短く設定することとする。具体的には、給湯口１０４からの出湯が停止され、追焚き加熱を停止した場合に、例えば、次式（１）に示す浴槽監視間隔調整時間ｔ＿ｄｌｔに経過時間ｔ＿ｃｎｔを記録する。そして、追焚き加熱を停止した後の経過時間ｔ＿ｃｎｔは、浴槽監視間隔調整時間ｔ＿ｄｌｔを浴槽監視間隔設定時間ｔ＿ｉｎｔから減じた時間と比較することとする。（後述のステップＳ２１１、Ｓ２１２）
浴槽監視間隔調整時間ｔ＿ｄｌｔ＝ｔ＿ｃｎｔ  ・・・（１）
【００２６】
このような制御によれば、給湯口１０４からの出湯の停止により追焚き加熱が突然停止された場合に、浴槽温度Ｔ＿ｂｔｈが浴槽監視間隔設定時間ｔ＿ｉｎｔよりも短時間で再検知される。その結果、浴槽温度Ｔ＿ｂｔｈが設定された目標浴槽温度Ｔ＿ｄｓｔに達していない場合には、第２流路形態による追焚き加熱を実行することができるので、第１流路形態による追焚き加熱から第２流路形態による追焚き加熱への切り替えを短時間で行うことができる。
【００２７】
次に、保温機能の実行設定および追焚き熱源湯水の給湯利用許否の設定について説明する。先ず、使用者によって保温時間設定手段５０１が操作され、保温機能の実行が設定されると、動作時間設定手段５１３により保温機能の終了時刻ｔ＿ｓｅｔが設定される。ここで、例えば、現在時刻ｔ＿ｐｒｅが過去の出湯履歴から判断して給湯の利用が期待できない時間帯である場合や、終了時刻ｔ＿ｓｅｔに到達する直前である場合には、熱源湯水の給湯利用を行うための制御を実行する必要性が薄い。そこで、本実施の形態の給湯機では、熱源湯水の給湯利用について、現在時刻ｔ＿ｐｒｅに応じてその許否を判定することとする。具体的には、例えば、現在時刻ｔ＿ｐｒｅから保温機能の終了時刻ｔ＿ｓｅｔまでの時間が所定の保温機能の残り時間ｔ＿ｒｓｔよりも小さい場合に熱源湯水の給湯利用を許可しないこととすればよい。これにより、無駄な制御が実行される事態を有効に抑止することが可能となる。
【００２８】
また、熱源湯水の給湯利用許否の判定については、過去の給湯履歴を利用することとしてもよい。具体的には、例えば、過去１週間の出湯履歴として、各日の最終給湯時刻を記録手段５１２により記憶しておき、記憶されている最終給湯時刻の中で最も遅い時刻を学習最終給湯時刻ｔ＿ｌｓｔとして特定する。そして、現在時刻ｔ＿ｐｒｅが学習最終給湯時刻ｔ＿ｌｓｔを経過している場合に熱源湯水の給湯利用を許可しないこととすればよい。これにより、無駄な制御が実行される事態を有効に抑止することが可能となる。
【００２９】
次に、本実施の形態のヒートポンプ式給湯機の保温機能の具体的処理について説明する。図３は、本実施の形態１のヒートポンプ給湯機において実行されるルーチンのフローチャートである。図３に示すルーチンは、使用者により保温機能が設定された場合に開始される。図３に示すルーチンが開始されると、先ず、制御装置５００は、ステップＳ１０１において保温機能使用フラグＦＬＧ＿ＫをＯＮにする。次に、ステップＳ１０２では、給湯時に追焚き熱源湯水の利用を許可するフラグＦＬＧ＿ＳをＯＮにする。次に、ステップＳ１０３では、動作時間設定手段５１３で設定された保温機能終了時刻ｔ＿ｓｅｔと、計時手段５１１で計時される現在時刻ｔ＿ｐｒｅとの時間差が、所定の時間ｔ＿ｒｓｔより短くなるか否か、もしくは現在時刻ｔ＿ｐｒｅが、記録手段５１２が記録した所定の期間（例えば、過去１週間）の最終給湯時刻ｔ＿ｌｓｔを過ぎたか否かを判定する。その結果、何れかの判定が成立した場合には、ステップＳ１０４に移行し、給湯時に追焚き熱源湯水の利用を許可するフラグＦＬＧ＿ＳをＯＦＦにする。
【００３０】
上記ステップＳ１０４の処理の後、または上記ステップＳ１０３において何れの判定も成立しない場合には、次のステップＳ１０５に移行し、現在時刻ｔ＿ｐｒｅが保温器機能終了時刻ｔ＿ｓｅｔを経過したか否かを判定する。その結果、判定が成立した場合には、次のステップＳ１０６において保温機能使用フラグＦＬＧ＿ＫをＯＦＦにする。一方、上記ステップＳ１０５において、判定が成立しない場合には、ステップＳ２００に移行し、後述する加熱動作決定手段を実行する。上記ステップＳ１０６またはステップＳ２００の処理が終了すると、再びステップＳ１０２に移行し、一連の動作を繰り返す。
【００３１】
次に、上記ステップＳ２００において実行される加熱動作決定手段の具体的処理について説明する。図４は、本実施の形態１のヒートポンプ給湯機において実行される加熱動作決定手段のルーチンを示すフローチャートである。図４に示すルーチンは、図３に示すルーチンのステップＳ２００の処理として実行される。図４に示すルーチンが開始されると、先ず、制御装置５００は、ステップＳ２０１において浴槽温度の監視時間ｔ＿ｃｎｔを０に初期化する。次に、ステップＳ２０２では、流量検知手段５０５で検知された流量Ｆ＿ｓｐｌが０より大きく、且つフラグＦＬＧ＿ＳがＯＮであるか否かを判定する。その結果、判定の不成立が認められた場合には、追焚き熱源湯水を給湯に利用することができないと判断されて、ステップＳ２１２へ移行する。
【００３２】
ステップＳ２１２では、経過時間ｔ＿ｃｎｔが所定の浴槽温度監視間隔時間ｔ＿ｉｎｔから浴槽監視間隔調整時間ｔ＿ｄｌｔを減じた時間よりも大きいか否かを判定する。その結果、判定の成立が認められない場合には、ステップＳ２１３に遷移して、経過時間ｔ＿ｃｎｔに所定時間（例えば１秒）を加算し、再びステップＳ２０２へ遷移する。
【００３３】
一方、上記ステップＳ２１２において判定の成立が認められた場合には、次のステップＳ２１４に移行する。ステップＳ２１４では、浴槽循環ポンプ３をＯＮにする。次のステップＳ２１５では、浴槽湯水温度検知手段５０３の検知温度Ｔ＿ｂｔｈが所定の目標浴槽温度Ｔ＿ｄｓｔより高いか否かを判定する。その結果、判定の成立が認められた場合には、次のステップＳ２１８へ移行し、判定の成立が認められない場合には、ステップＳ２１７へ移行する。
【００３４】
ステップＳ２１７では、熱源ポンプ１４をＯＮにして、その後再びステップＳ２１５へ遷移する。一方、ステップＳ２１８では、熱源ポンプ１４をＯＦＦにする。次に、ステップＳ２１９では、浴槽循環ポンプ３をＯＦＦにする。次に、ステップＳ２２０では、間隔調整時間ｔ＿ｄｌｔを０に初期化し、再びステップＳ２０１へ遷移する。
【００３５】
一方、上記ステップＳ２０２において判定の成立が認められた場合には、追焚き熱源湯水を給湯に利用することが可能と判断されて、次のステップＳ２０３へ移行する。ステップＳ２０３では、三方弁１５を流路状態Ａ側へ切り替える。次に、ステップＳ２０４では、浴槽循環ポンプ３をＯＮにする。次に、ステップＳ２０５では、熱源ポンプ１４をＯＮにする。次に、ステップＳ２０６では、流量Ｆ＿ｓｐｌが０となっているか否か、または、浴槽湯水温度検知手段５０３の検知温度Ｔ＿ｂｔｈが所定の目標浴槽温度Ｔ＿ｄｓｔより高いか否かを判定する。その結果、判定の成立が認められた場合には、次のステップＳ２０７へ移行し、判定の成立が認められない場合には、ステップＳ２０３へ再び移行する。
【００３６】
ステップＳ２０７では、熱源ポンプ１４をＯＦＦにし、次のステップＳ２０８では、浴槽循環ポンプ３をＯＦＦにする。次に、ステップＳ２０９では、三方弁１５を流路状態Ｂ側へ切替える。
【００３７】
次に、ステップＳ２１０では、流量Ｆ＿ｓｐｌが０か否かを判定する。その結果、判定の成立が認められた場合には、浴槽監視間隔調整時間ｔ＿ｄｌｔに経過時間ｔ＿ｃｎｔを記録し、再びステップＳ２０１へ移行する。一方、上記ステップＳ２１０において流量Ｆ＿ｓｐｌが０でないと判定した場合には、再び上記ステップＳ２０１へ遷移する。
【００３８】
以上説明したとおり、本実施の形態のヒートポンプ式給湯機によれば、追焚き加熱に利用後の熱源湯水（中温水）をタンクに戻す機会を有効に低減することができる。
【符号の説明】
【００３９】
１  浴槽
３  浴槽循環ポンプ
５  水熱交換器
８  浴槽配管（風呂追焚き循環回路）
９  浴槽配管（風呂追焚き循環回路）
１１  タンク追焚き熱源往き口（第１の接続口）
１４  熱源ポンプ
１５  三方弁（流路切替手段）
１６  往き管（追焚き熱源循環回路）
１７  タンク追焚き熱源戻り口（第２の接続口）
１８  戻り管（追焚き熱源循環回路）
１００  貯湯タンク
１０４  給湯口（給湯端末）
１０５  給湯配管（給湯回路）
１０８  熱源湯水給湯配管（給湯回路）
２００  ヒートポンプ式熱源機
５００  制御装置（制御手段）
５０１  保温時間設定手段
５０２  流水検知手段（出湯検知手段）
５０３  浴槽湯水温度検知手段（温度検出手段）
５０５  流量検知手段（出湯検知手段）
５１２  記録手段
５１３  動作時間設定手段（保温運転設定手段）
【図１】
2013221717.tif 000003
【図２】
2013221717.tif 000004
【図３】
2013221717.tif 000005
【図４】
2013221717.tif 000006